(57)【要約】貯蔵タンクおよび揚水器具を含む分流システムおよび冷却システムであって、貯蔵タンクは、冷却媒体を貯蔵するために使用され、揚水器具は、入口および出口を含む。第１のパイプラインは、冷却装置と揚水器具の出口との間に接続され、第２のパイプラインは、貯蔵タンクと揚水器具の出口との間に接続され、第３のパイプラインは、冷却装置と揚水器具の入口との間に接続され、第４のパイプラインは、貯蔵タンクと揚水器具の入口との間に接続され、第１のパイプライン、第２のパイプライン、第３のパイプライン、および第４のパイプラインは選択的に、伝導しており、または閉鎖されている。分流システムが動作しているとき、第１のパイプラインまたは第２のパイプラインが伝導しており、第３のパイプラインまたは第４のパイプラインが伝導しており、揚水器具は、伝導している第３のパイプラインまたは第４のパイプラインのうちの１つによって冷却媒体を抽出し、伝導している第１のパイプラインまたは第２のパイプラインによって冷却媒体を外部に運搬する。
2021513157.tif 000002
【特許請求の範囲】
【請求項１】
貯蔵タンクおよび揚水器具を備えた分流システムであって、前記貯蔵タンクは、冷却媒体を貯蔵するために使用され、前記揚水器具は、入口および出口を含み、
冷却装置と前記揚水器具の前記出口との間に第１のパイプラインが結合され、前記貯蔵タンクと前記揚水器具の前記出口との間に第２のパイプラインが結合され、前記冷却装置と前記揚水器具の前記入口との間に第３のパイプラインが結合され、前記貯蔵タンクと前記揚水器具の前記入口との間に第４のパイプラインが結合され、前記第１のパイプライン、前記第２のパイプライン、前記第３のパイプライン、および前記第４のパイプラインは選択的に、伝導し、または閉鎖されるように構成され、
前記分流システムが動作しているとき、前記第１のパイプラインまたは前記第２のパイプラインのうちの１つが伝導しており、前記第３のパイプラインまたは前記第４のパイプラインのうちの１つが伝導しており、
前記揚水器具は、伝導している前記第３のパイプラインまたは前記第４のパイプラインのうちの１つによって前記冷却媒体を抽出し、伝導している前記第１のパイプラインまたは前記第２のパイプラインのうちの１つによって前記冷却媒体を外部に運搬する、
ことを特徴とする分流システム。
【請求項２】
前記分流システムは、第１の動作モードおよび第２の動作モードへと構成され、
前記分流システムが前記第１の動作モードにあるとき、前記第１のパイプラインおよび前記第４のパイプラインが伝導しており、前記第２のパイプラインおよび前記第３のパイプラインが閉鎖されており、前記揚水器具は、前記第４のパイプラインによって前記貯蔵タンクから冷却媒体を抽出し、前記第１のパイプラインによって前記冷却媒体を前記冷却装置に運搬し、
前記分流システムが前記第２の動作モードにあるとき、前記第２のパイプラインおよび前記第３のパイプラインが伝導しており、前記第１のパイプラインおよび前記第４のパイプラインが閉鎖されており、前記揚水器具は、前記第３のパイプラインによって前記冷却装置から前記冷却媒体を抽出し、前記第２のパイプラインによって前記冷却媒体を前記貯蔵タンクに運搬する、
ことを特徴とする請求項１に記載の分流システム。
【請求項３】
前記第１のパイプライン、前記第２のパイプライン、前記第３のパイプライン、および前記第４のパイプラインの伝導または閉鎖を制御するコントローラ、ならびに前記冷却装置内の前記冷却媒体の容積を検出する測定メータを更に備え、前記測定メータは、前記コントローラに連絡可能に接続しており、
前記冷却装置内の前記冷却媒体の前記容積が第１の容積未満であると前記測定メータが検出するとき、前記コントローラは、前記分流システムを前記第１の動作モードに切り替えるように、前記第１のパイプラインおよび前記第４のパイプラインが伝導するよう制御し、前記第２のパイプラインおよび前記第３のパイプラインが閉鎖されるよう制御し、
前記冷却装置内の前記冷却媒体の前記容積が第２の容積を上回ると前記測定メータが検出するとき、前記コントローラは、前記分流システムを前記第２の動作モードに切り替えるように、前記第２のパイプラインおよび前記第３のパイプラインが伝導するよう制御し、前記第１のパイプラインおよび前記第４のパイプラインが閉鎖されるよう制御し、前記第２の容積は、前記第１の容積よりも大きい、
ことを特徴とする請求項２に記載の分流システム。
【請求項４】
前記第２のパイプラインまたは前記第４のパイプラインと連絡している第１の濾過器を更に備え、
前記分流システムは、第３の動作モードを含み、前記分流システムが前記第３の動作モードにあるとき、前記第２のパイプラインおよび前記第４のパイプラインが伝導しており、前記第１のパイプラインおよび前記第３のパイプラインが閉鎖されており、前記揚水器具は、前記第４のパイプラインによって前記貯蔵タンクから前記冷却媒体を抽出し、前記第２のパイプラインによって前記冷却媒体を前記貯蔵タンクに再度運搬し、前記第１の濾過器は、それを通じて流れる前記冷却媒体を濾過する、
ことを特徴とする請求項１に記載の分流システム。
【請求項５】
前記第１の濾過器は、前記貯蔵タンクに配置される、ことを特徴とする請求項４に記載の分流システム。
【請求項６】
前記第１のパイプライン、前記第２のパイプライン、前記第３のパイプライン、および前記第４のパイプラインの伝導または閉鎖を制御するコントローラ、ならびに前記貯蔵タンク内の前記冷却媒体の純度を検出する第１の検出器を更に備え、前記第１の検出器は、前記コントローラに連絡可能に接続しており、
前記貯蔵タンク内の前記冷却媒体の前記純度が予め設定された値未満であると前記第１の検出器が検出するとき、前記コントローラは、前記分流システムを前記第３の動作モードに切り替えるように、前記第２のパイプラインおよび前記第４のパイプラインが伝導するよう制御し、前記第１のパイプラインおよび前記第３のパイプラインが閉鎖されるよう制御する、
ことを特徴とする請求項４に記載の分流システム。
【請求項７】
前記第１のパイプラインまたは前記第３のパイプラインと連絡して設けられた第２の濾過器を更に備え、
前記分流システムは、第４の動作モードを含み、前記分流システムが前記第４の動作モードにあるとき、前記第１のパイプラインおよび前記第３のパイプラインが伝導しており、前記第２のパイプラインおよび前記第４のパイプラインが閉鎖されており、前記揚水器具は、前記第３のパイプラインによって前記冷却装置から前記冷却媒体を抽出し、前記第１のパイプラインによって前記冷却媒体を前記冷却装置に運搬し、前記第２の濾過器は、それを通じて流れる前記冷却媒体を濾過する、
ことを特徴とする請求項１に記載の分流システム。
【請求項８】
前記第１のパイプライン、前記第２のパイプライン、前記第３のパイプライン、および前記第４のパイプラインの伝導または閉鎖を制御するコントローラ、ならびに前記冷却装置内の前記冷却媒体の純度を検出する第２の検出器を更に備え、前記第２の検出器は、前記コントローラに連絡可能に接続しており、
前記冷却装置内の前記冷却媒体の前記純度が予め設定された値未満であると前記第２の検出器が検出するとき、前記コントローラは、前記分流システムを前記第４の動作モードに切り替えるように、前記第１のパイプラインおよび前記第３のパイプラインが伝導するよう制御し、前記第２のパイプラインおよび前記第４のパイプラインが閉鎖されるよう制御する、
ことを特徴とする請求項７に記載の分流システム。
【請求項９】
前記第１のパイプライン、前記第２のパイプライン、前記第３のパイプライン、および前記第４のパイプラインは、弁が設けられ、前記弁は、前記第１のパイプライン、前記第２のパイプライン、前記第３のパイプライン、および前記第４のパイプラインにおける対応するパイプラインが伝導しており、または閉鎖されるように、開放または閉鎖することができる、ことを特徴とする請求項１に記載の分流システム。
【請求項１０】
前記第１のパイプラインおよび前記第２のパイプラインは、３方向コネクタによって第１の共通パイプラインに接続され、前記第１のパイプラインおよび前記第２のパイプラインの両方は、前記第１の共通パイプラインによって前記揚水器具の前記出口に接続される、ことを特徴とする請求項１に記載の分流システム。
【請求項１１】
前記第３のパイプラインおよび前記第４のパイプラインは、３方向コネクタによって第２の共通パイプラインに接続され、前記第３のパイプラインおよび前記第４のパイプラインの両方は、前記第２の共通パイプラインによって前記揚水器具の前記入口に接続される、ことを特徴とする請求項１に記載の分流システム。
【請求項１２】
前記第１のパイプラインおよび前記第３のパイプラインは、３方向コネクタによって第３の共通パイプラインに接続され、前記第１のパイプラインおよび前記第３のパイプラインの両方は、前記第３の共通パイプラインによって前記冷却装置に接続される、ことを特徴とする請求項１に記載の分流システム。
【請求項１３】
冷却装置に適用可能な分流システムであって、前記システムは、貯蔵タンクおよび揚水器具を備え、前記貯蔵タンクは、冷却媒体を貯蔵し、前記揚水器具は、入口および出口を含み、
前記冷却装置と前記揚水器具の前記出口との間に第１のパイプラインが接続され、前記貯蔵タンクと前記揚水器具の前記出口との間に第２のパイプラインが接続され、前記冷却装置と前記揚水器具の前記入口との間に第３のパイプラインが接続され、前記貯蔵タンクと前記揚水器具の前記入口との間に第４のパイプラインが接続され、前記第１のパイプライン、前記第２のパイプライン、前記第３のパイプライン、および前記第４のパイプラインは選択的に、伝導しており、または閉鎖されており、
前記分流システムが動作しているとき、前記第１のパイプライン、前記第２のパイプライン、前記第３のパイプライン、および前記第４のパイプラインのうちの少なくとも２つが伝導している、
ことを特徴とする分流システム。
【請求項１４】
第１の貯蔵タンク、第２の貯蔵タンク、および揚水器具を備えた冷却システムであって、前記第１の貯蔵タンクおよび前記第２の貯蔵タンクは、冷却媒体を貯蔵し、前記第１の貯蔵タンクは、前記揚水器具によって前記第２の貯蔵タンクと連絡しており、前記冷却システムは、第１のモードおよび第２のモードにおいて動作するように構成され、
前記第１のモードでは、前記第１の貯蔵タンク内の前記冷却媒体は、前記揚水器具によって前記第２の貯蔵タンクに導入され、
前記第２のモードでは、前記第２の貯蔵タンク内の前記冷却媒体は、前記揚水器具によって前記第１の貯蔵タンクに導入され、
前記第１のモードおよび前記第２のモードでは、前記揚水器具を通じて流れる前記冷却媒体の方向は同一である、
ことを特徴とする冷却システム。
【発明の詳細な説明】
【技術分野】
【０００１】
本出願は、その全体を参照することによって本明細書に組み込まれる、２０１９年１月２２日に出願された国際特許出願第ＰＣＴ／ＣＮ２０１９／０７２６７５号に対応する、「ＤＩＶＥＲＳＩＯＮ  ＳＹＳＴＥＭ  ＡＮＤ  ＣＯＯＬＩＮＧ  ＳＹＳＴＥＭ  ＡＰＰＬＩＣＡＢＬＥ  ＴＯ  ＣＯＯＬＩＮＧ  ＤＥＶＩＣＥ」と題する中国特許出願第２０１８１０１０７２３９．７号に対する優先権を主張する。
【０００２】
本発明は、冷却装置、特に、冷却装置に適用可能な分流システム（diversion system）および冷却システムに関する。
【背景技術】
【０００３】
クラウドコンピューティング技術（すなわち、大規模分散システム技術）の急速な発展に伴って、サーバの計算性能に対する要件がますます高くなっている。サーバの性能が改善するとき、電力消費が急速に増大し、キャビネットの電力消費が倍増する。データは、直近の１０年において、データセンタキャビネットの電力密度がほぼ１５倍に増大したことを示す。過去には、キャビネットの電力消費は概して、１．５キロワット〜２キロワットであったが、今では、２０キロワット〜３０キロワットに到達する局所的な電力消費を有するキャビネットもある。
【０００４】
データセンタにおいて一般的に使用される冷却装置は、冷却媒体により充填される。冷却される必要があるサーバは、冷却装置に位置付けられ、サーバは、冷却媒体によって冷却される。使用の間、実際の必要性に従って、冷却装置は、冷却媒体により補充され（replenished）、また冷却装置における冗長な冷却媒体が回復される。概して、冷却媒体の補充および冷却媒体の回復を完了するために、２つのパイプラインが必要とされる。
【発明の概要】
【０００５】
本発明は、１つの揚水器具（pumping apparatus）のみによって冷却装置内での冷却媒体の補充および回復を実施することができるように、冷却装置に適用可能な分流システムおよび冷却システムを提供する。
【０００６】
本発明の実施形態は、冷却装置に適用可能な分流システムを提供し、システムは、貯蔵タンクおよび揚水器具を含み、貯蔵タンクは、冷却媒体を貯蔵するために使用され、揚水器具は、入口および出口を含む。
【０００７】
実施形態では、第１のパイプラインは、冷却装置と揚水器具の出口との間に接続され、第２のパイプラインは、貯蔵タンクと揚水器具の出口との間に接続され、第３のパイプラインは、冷却装置と揚水器具の入口との間に接続され、第４のパイプラインは、貯蔵タンクと揚水器具の入口との間に接続され、第１のパイプライン、第２のパイプライン、第３のパイプライン、および第４のパイプラインは選択的に、伝導しており（conducting）、または閉鎖されている。
【０００８】
実施形態では、分流システムが動作しているとき、第１のパイプラインまたは第２のパイプラインのうちの１つが伝導しており、第３のパイプラインまたは第４のパイプラインのうちの１つが伝導しており、揚水器具は、伝導している第３のパイプラインまたは第４のパイプラインのうちの１つによって冷却媒体を抽出し、次いで、伝導している第１のパイプラインまたは第２のパイプラインのうちの１つによって冷却媒体を外部に運搬する。
【０００９】
更に、実施形態では、分流システムは、第１の動作モードおよび第２の動作モードを含む。分流システムが第１の動作モードにあるとき、第１のパイプラインおよび第４のパイプラインが伝導しており、第２のパイプラインおよび第３のパイプラインが閉鎖されており、揚水器具は、第４のパイプラインによって貯蔵タンクから冷却媒体を抽出し、次いで、第１のパイプラインによって冷却媒体を冷却装置に運搬する。
【００１０】
実施形態では、分流システムが第２の動作モードにあるとき、第２のパイプラインおよび第３のパイプラインが伝導しており、第１のパイプラインおよび第４のパイプラインが閉鎖されており、揚水器具は、第３のパイプラインによって冷却装置から冷却媒体を抽出し、次いで、第２のパイプラインによって冷却媒体を貯蔵タンクに運搬する。
【００１１】
実施形態では、分流システムは、第１のパイプライン、第２のパイプライン、第３のパイプライン、および第４のパイプラインの伝導または閉鎖を制御するコントローラ、ならびに冷却装置内の冷却媒体の容積を検出する測定メータを更に含み、測定メータは、コントローラに連絡可能に接続している（in communicative connection）。
【００１２】
実施形態では、冷却装置内の冷却媒体の容積が第１の容積未満であると測定メータが検出するとき、コントローラは、分流システムを第１の動作モードに切り替えるように、第１のパイプラインおよび第４のパイプラインが伝導するよう制御し、第２のパイプラインおよび第３のパイプラインが閉鎖されるよう制御する。
【００１３】
実施形態では、冷却装置内の冷却媒体の容積が第２の容積を上回ると測定メータが検出するとき、コントローラは、分流システムを第２の動作モードに切り替えるように、第２のパイプラインおよび第３のパイプラインが伝導するよう制御し、第１のパイプラインおよび第４のパイプラインが閉鎖されるよう制御し、第２の容積は、第１の容積よりも大きい。
【００１４】
実施形態では、分流システムは、第２のパイプラインまたは第４のパイプラインと連絡して設けられた第１の濾過器を更に含む。
【００１５】
実施形態では、分流システムは、第３の動作モードを含み、分流システムが第３の動作モードにあるとき、第２のパイプラインおよび第４のパイプラインが伝導しており、第１のパイプラインおよび第３のパイプラインが閉鎖されており、揚水器具は、第４のパイプラインによって貯蔵タンクから冷却媒体を抽出し、次いで、第２のパイプラインによって冷却媒体を貯蔵タンクに再度運搬し、第１の濾過器は、それを通じて流れる冷却媒体を濾過する。
【００１６】
実施形態では、第１の濾過器は、貯蔵タンクに配置される。
【００１７】
実施形態では、分流システムは、第１のパイプライン、第２のパイプライン、第３のパイプライン、および第４のパイプラインの伝導または閉鎖を制御するコントローラ、ならびに貯蔵タンク内の冷却媒体の純度を検出する第１の検出器を更に含み、第１の検出器は、コントローラに連絡可能に接続している。
【００１８】
実施形態では、貯蔵タンク内の冷却媒体の純度が予め設定された値未満であると第１の検出器が検出するとき、コントローラは、分流システムを第３の動作モードに切り替えるように、第２のパイプラインおよび第４のパイプラインが伝導するよう制御し、第１のパイプラインおよび第３のパイプラインが閉鎖されるよう制御する。
【００１９】
実施形態では、分流システムは、第１のパイプラインまたは第３のパイプラインと連絡して設けられた第２の濾過器を更に含む。
【００２０】
実施形態では、分流システムは、第４の動作モードを含み、分流システムが第４の動作モードにあるとき、第１のパイプラインおよび第３のパイプラインが伝導しており、第２のパイプラインおよび第４のパイプラインが閉鎖されており、揚水器具は、第３のパイプラインによって冷却装置から冷却媒体を抽出し、次いで、第１のパイプラインによって冷却媒体を冷却装置に再度運搬し、第２の濾過器は、それを通じて流れる冷却媒体を濾過する。
【００２１】
実施形態では、分流システムは、第１のパイプライン、第２のパイプライン、第３のパイプライン、および第４のパイプラインの伝導または閉鎖を制御するコントローラ、ならびに冷却装置内の冷却媒体の純度を検出する第２の検出器を更に含み、第２の検出器は、コントローラに連絡可能に接続している。
【００２２】
実施形態では、冷却装置内の冷却媒体の純度が予め設定された値未満であると第２の検出器が検出するとき、コントローラは、分流システムを第４の動作モードに切り替えるように、第１のパイプラインおよび第３のパイプラインが伝導するよう制御し、第２のパイプラインおよび第４のパイプラインが閉鎖されるよう制御する。
【００２３】
更に、実施形態では、第１のパイプライン、第２のパイプライン、第３のパイプライン、および第４のパイプラインは全て、弁が設けられ、弁は、第１のパイプライン、第２のパイプライン、第３のパイプライン、および第４のパイプラインにおける対応するパイプラインが伝導することができ、または閉鎖されることができるように、開放または閉鎖されてもよい。
【００２４】
更に、実施形態では、第１のパイプラインおよび第２のパイプラインは、３方向コネクタによって第１の共通パイプラインに接続され、第１のパイプラインおよび第２のパイプラインの両方は、第１の共通パイプラインによって揚水器具の出口に接続される。
【００２５】
更に、実施形態では、第３のパイプラインおよび第４のパイプラインは、３方向コネクタによって第２の共通パイプラインに接続され、第３のパイプラインおよび第４のパイプラインの両方は、第２の共通パイプラインによって揚水器具の入口に接続される。
【００２６】
更に、実施形態では、第１のパイプラインおよび第３のパイプラインは、３方向コネクタによって第３の共通パイプラインに接続され、第１のパイプラインおよび第３のパイプラインの両方は、第３の共通パイプラインによって冷却装置に接続される。
【００２７】
別の実施形態では、本発明は、冷却装置に適用可能な分流システムを提供し、システムは、貯蔵タンクおよび揚水器具を備え、貯蔵タンクは、冷却媒体を貯蔵するために使用され、揚水器具は、入口および出口を含む。
【００２８】
実施形態では、第１のパイプラインは、冷却装置と揚水器具の出口との間に接続され、第２のパイプラインは、貯蔵タンクと揚水器具の出口との間に接続され、第３のパイプラインは、冷却装置と揚水器具の入口との間に接続され、第４のパイプラインは、貯蔵タンクと揚水器具の入口との間に接続され、第１のパイプライン、第２のパイプライン、第３のパイプライン、および第４のパイプラインは選択的に、伝導していてもよく、または閉鎖されていてもよい。
【００２９】
実施形態では、分流システムが動作しているとき、第１のパイプライン、第２のパイプライン、第３のパイプライン、および第４のパイプラインのうちの少なくとも２つが伝導している。
【００３０】
本発明の別の実施形態は、冷却システムを提供し、冷却システムは、第１の貯蔵タンク、第２の貯蔵タンク、および揚水器具を含み、第１の貯蔵タンクおよび第２の貯蔵タンクは、冷却媒体を貯蔵するために使用され、第１の貯蔵タンクは、揚水器具によって第２の貯蔵タンクと連絡しており、冷却システムは、第１のモードおよび第２のモードにおいて動作するように構成される。
【００３１】
第１のモードでは、実施形態では、第１の貯蔵タンク内の冷却媒体は、揚水器具によって第２の貯蔵タンクに導入され、第２のモードでは、第２の貯蔵タンク内の冷却媒体は、揚水器具によって第１の貯蔵タンクに導入され、第１のモードおよび第２のモードでは、揚水器具を通じて流れる冷却媒体の方向は同一である。
【００３２】
上記技術的解決策から理解することができるように、本発明の分流システムの実施形態では、第１のパイプラインまたは第２のパイプラインのうちの１つが伝導しており、第３のパイプラインまたは第４のパイプラインのうちの１つが伝導しており、それによって、冷却媒体が循環するための異なる流向における複数の循環経路を形成し、そのケースでは、回復のために冷却装置内の冷却媒体を貯蔵タンクに運搬すること、および補充のために貯蔵タンク内の冷却媒体を冷却装置に運搬することの両方を達成するために１つの揚水器具が必要とされるだけであり、その結果、分流システムは、様々な機能を有し、冷却装置の維持コストを著しく減少させ、維持効率性を改善する。
【図面の簡単な説明】
【００３３】
【図１】本発明の例示的な実施形態に従った、分流システムの概略構造図を示す。
【図２】本発明の例示的な実施形態に従った、分流システムの別の概略構造図を示す。
【図３】本発明の例示的な実施形態に従った、第１の動作モードにある分流システム概略構造図を示す。
【図４】本発明の例示的な実施形態に従った、第２の動作モードにある分流システム概略構造図を示す。
【図５】本発明の例示的な実施形態に従った、第３の動作モードにある分流システム概略構造図を示す。
【図６】本発明の例示的な実施形態に従った、第４の動作モードにある分流システム概略構造図を示す。
【図７】本発明の例示的な実施形態に従った、分流システムの更なる別の概略構造図を示す。
【図８】本発明の例示的な実施形態に従った、分流システムの更なる別の概略構造図を示す。
【図９】本発明の例示的な実施形態に従った、分流システムの更なる別の概略構造図を示す。
【図１０】本発明の例示的な実施形態に従った、分流システムの更なる別の概略構造図を示す。
【図１１】本発明の例示的な実施形態に従った、分流システムの更なる別の概略構造図を示す。
【発明を実施するための形態】
【００３４】
例示的な実施形態が本明細書で詳細に説明され、その例が図面において示される。以下の説明は図面に関連し、他に示されない限り、異なる図面における同一の参照符号は、同一または類似の要素を表す。以下の例示的な実施形態において説明される実装態様は、本発明と一貫した全ての実装態様を表すわけではない。むしろ、それらは、添付の特許請求の範囲において詳述されるように、本発明のいくつかの態様と一貫したデバイスおよび方法の例にすぎない。
【００３５】
本発明において使用される用語は、特定の実施形態を説明することのみを目的としており、本発明を限定することを意図していない。本出願および添付の特許請求の範囲において使用されるように、単数形「ａ／ａｎ」、「ｓａｉｄ」、および「ｔｈｅ」は、コンテキストが明確に他の意味を示さない限り、複数形のケースをも含むことを意図している。また、本明細書で使用される用語「および／または（and/or）」は、１つまたは複数の関連するリスト化された項目のいずれかまたは全ての取り得る組み合わせを指し、それらを含むことが理解されるべきである。
【００３６】
用語「第１の（first）」、「第２の（second）」、「第３の（third）」などは、様々な種類の情報を説明するために使用されてもよいことが理解されるべきである。それらの種類の情報は、それらの用語に限定されるべきではない。それらの用語は、情報の１つを同一のタイプの別の１つから区別するために使用されるにすぎない。例えば、本発明の範囲から逸脱することなく、第１の情報は、第２の情報とも称されてもよく、同様に、第２の情報は、第１の情報とも称されてもよい。コンテキストに応じて、本明細書で使用される単語「ｉｆ」は、「その時（at the time）」、〜のとき（when）」、または「その判定に応答して（in response to the determination」として解釈されてもよい。
【００３７】
本発明の目的は、冷却装置内の冷却媒体の補充および回復を１つの揚水器具のみによって実施することができるように、冷却装置に適用可能な分流システムを提供することである。本発明の冷却装置は、図面を参照して以下で詳細に説明される。衝突が存在しないとき、以下の実施形態および実装態様の特徴が相互に組み合わされてもよい。
【００３８】
図１を参照されたい。本発明の実施形態は、冷却装置に適用可能な分流システム１００を提供する。分流システム１００は、貯蔵タンク１０および揚水器具２０を含み、貯蔵タンクは、冷却媒体１１を貯蔵するために使用され、揚水器具２０は、入口２１および出口２２を含む。任意選択で、ポンプが揚水器具２０として採用されてもよい。
【００３９】
冷却装置９０は、冷却媒体１１により充填されてもよく、被冷却装置９１は、少なくとも部分的に冷却媒体１１に浸され（immersed）、冷却媒体１１によって被冷却装置９１に対して熱放散が実行される。被冷却装置９１は、データセンタのサーバであってもよく、または冷却される必要がある他の発熱装置であってもよい。冷却媒体１１は、実際の必要性に従って構成されることが可能な気体媒質、液体媒質、または固体−液体混合媒質であってもよい。本発明によって示される例では、被冷却装置９１は、冷却媒体１１に完全に浸され、冷却媒体１１は、電子フッ素化液体（electronic fluorinated liquid）である。
【００４０】
第１のパイプライン３１は、冷却装置９０と揚水器具２０の出口２２との間に接続され、第２のパイプライン３２は、貯蔵タンク１０と揚水器具２０の出口２２との間に接続され、第３のパイプライン３３は、冷却装置９０と揚水器具２０の入口２１との間に接続され、第４のパイプライン３４は、貯蔵タンク１０と揚水器具２０の入口２１との間に接続され、第１のパイプライン３１、第２のパイプライン３２、第３のパイプライン３３、および第４のパイプライン３４は全て選択的に、伝導していてもよく、または閉鎖されていてもよい。
【００４１】
揚水器具２０は、１対１の対応関係において第１のパイプライン３１および第２のパイプライン３２に接続された２つの出口２２が設けられてもよいことが理解されよう。揚水器具２０は、１対１の対応関係において第３のパイプライン３３および第４のパイプライン３４に接続された２つの入口２１が設けられてもよい。同様に、前記貯蔵タンク１０および冷却装置９０はそれぞれ、対応する第１のパイプライン３１、第２のパイプライン３２、第３のパイプライン３３、および第４のパイプライン３４に接続するための２つの接続ポートが設けられてもよい。
【００４２】
分流システム１００が動作しているとき、第１のパイプライン３１または第２のパイプライン３２のうちの１つが伝導しており、第３のパイプライン３３または第４のパイプライン３４のうちの１つが伝導している。揚水器具２０は、伝導している第３のパイプライン３３または第４のパイプライン３４によって冷却媒体１１を抽出し、次いで、伝導している第１のパイプライン３１または第２のパイプライン３２によって冷却媒体１１を外部に運搬する。
【００４３】
上記技術的解決策から理解することができるように、本発明の分流システム１００では第１のパイプライン３１または第２のパイプライン３２のうちの１つが伝導しており、第３のパイプライン３３または第４のパイプライン３４のうちの１つが伝導しており、それによって、冷却媒体１１が循環するための異なる流向における複数の循環経路を形成し、そのケースでは、回復のために冷却装置９０内の冷却媒体１１を貯蔵タンク１０に運搬すること、および補充のために貯蔵タンク１０内の冷却媒体１１を冷却装置９０に運搬することの両方を達成するために１つの揚水器具２０が必要とされるだけであり、その結果、分流システム１００は、様々な機能を有し、冷却装置９０の維持コストを著しく減少させ、維持効率性を改善する。
【００４４】
図２を参照して、実装態様では、第１のパイプライン３１、第２のパイプライン３２、第３のパイプライン３３、および第４のパイプライン３４は全て、弁が設けられ、第１のパイプライン３１、第２のパイプライン３２、第３のパイプライン３３、および第４のパイプライン３４の伝導または閉鎖は、対応する弁を開放または閉鎖することによって実施される。図２に示される例では、第１のパイプライン３１は、第１の弁４０１が設けられ、第２のパイプライン３２は、第２の弁４０２が設けられ、第３のパイプライン３３は、第３の弁４０３が設けられ、第４のパイプライン３４は、第４の弁４０４が設けられることが理解されよう。第１のパイプライン３１の伝導または閉鎖は、第１の弁４０１を開放または閉鎖することによって実施される。第２のパイプライン３２の伝導または閉鎖は、第２の弁４０２を開放または閉鎖することによって実施される。第３のパイプライン３３の伝導または閉鎖は、第３の弁４０３を開放または閉鎖することによって実施される。第４のパイプライン３４の伝導または閉鎖は、第４の弁４０４を開放または閉鎖することによって実施される。確かに、第１のパイプライン３１、第２のパイプライン３２、第３のパイプライン３３、および第４のパイプライン３４の伝導または閉鎖は、本出願において説明される弁の方式に限定されない、他の方式においても実施されてもよい。
【００４５】
実装態様では、分流システム１００は、第１の動作モードおよび第２の動作モードを含む。
【００４６】
図３を参照して、冷却装置９０内の冷却媒体１１の容積が熱放散の要件を満たすのに十分でないとき、分流システム１００は、第１の動作モードに切り替わってもよい。分流システム１００が第１の動作モードにあるとき、第１のパイプライン３１および第４のパイプライン３４が伝導しており、第２のパイプライン３２および第３のパイプライン３３が閉鎖されている。揚水器具２０は、第４のパイプライン３４によって貯蔵タンク１０から冷却媒体１１を抽出し、次いで、第１のパイプライン３１によって冷却媒体１１を冷却装置９０に運搬する。冷却装置９０内で冷却媒体１１の補充を実施する、冷却媒体１１の流向は、図３における矢印によって示される。すなわち、分流システム１００の第１の動作モードは、冷却媒体により冷却装置９０を補充することとして解釈されてもよい。
【００４７】
図４を参照されたい。冷却装置９０内の冷却媒体１１の容積が過剰であり、オーバフローが発生する場合があるとき、分流システム１００は、第２の動作モードに切り替わってもよい。分流システム１００が第２の動作モードにあるとき、第２のパイプライン３２および第３のパイプライン３３が伝導しており、第１のパイプライン３１および第４のパイプライン３４が閉鎖されている。揚水器具２０は、第３のパイプライン３３によって冷却装置９０から冷却媒体１１を抽出し、次いで、第２のパイプライン３２によって冷却媒体１１を貯蔵タンク１０に運搬する。冷却装置９０内で冷却媒体１１の回復を実施する、冷却媒体１１の流向は、図４における矢印によって示される。すなわち、分流システム１００の第２の動作モードは、冷却装置９０内で冷却媒体を回復することとして解釈されてもよい。
【００４８】
図５を参照されたい。実装態様では、分流システム１００は、第２のパイプライン３２または第４のパイプライン３４と連絡して設けられた第１の濾過器４１を更に含む。第１の濾過器４１は、貯蔵タンク１０の外側または内側に取り付けられてもよい。更に、第１の濾過器４１が貯蔵タンク１０の外側に配置されるとき、それは、第２のパイプライン３２または第４のパイプライン３４内に取り付けられてもよい。図５に示される例では、第１の濾過器４１は、貯蔵タンク１０の内側に配置される。
【００４９】
分流システム１００は、第３の動作モードを更に含む。貯蔵タンク１０内の冷却媒体１１の純度が要件を満たすことができないとき、分流システム１００は、第３の動作モードに切り替わることができる。分流システム１００が第３の動作モードにあるとき、第２のパイプライン３２および第４のパイプライン３４が伝導しており、第１のパイプライン３１および第３のパイプライン３３が閉鎖されている。揚水器具２０は、第４のパイプライン３４によって貯蔵タンク１０から冷却媒体１１を抽出し、次いで、第２のパイプライン３２によって冷却媒体１１を冷却装置９０に再度運搬する。第１の濾過器４１は、それを通じて流れる冷却媒体１１を濾過することができ、貯蔵タンク１０内で冷却媒体１１の循環濾過を実施する、冷却媒体１１の流向は、図５における矢印によって示される。すなわち、分流システム１００の第３の動作モードは、貯蔵タンク１０内で冷却媒体１１を濾過することとして解釈されてもよい。
【００５０】
図６を参照されたい。実装態様では、分流システムは、第１のパイプライン３１または第３のパイプライン３３と連絡して設けられた第２の濾過器４２を更に含む。第２の濾過器４２は、冷却装置９０の外側または内側に取り付けられてもよい。更に、第２の濾過器４２が冷却装置９０の外側に配置されるとき、それは、第１のパイプライン３１または第３のパイプライン３３内に取り付けられてもよい。図６に示される例では、第２の濾過器４２は、冷却装置９０の内側に配置される。
【００５１】
分流システム１００は、第４の動作モードを更に含む。冷却装置９０内の冷却媒体１１の純度が要件を満たすことができないとき、分流システム１００は、第４の動作モードに切り替わることができる。分流システム１００が第４の動作モードにあるとき、第１のパイプライン３１および第３のパイプライン３３が伝導しており、第２のパイプライン３２および第４のパイプライン３４が閉鎖されている。揚水器具２０は、第３のパイプライン３３によって冷却装置９０から冷却媒体１１を抽出し、次いで、第１のパイプライン３１によって冷却媒体１１を冷却装置９０に再度運搬する。第２の濾過器４２は、それを通じて流れる冷却媒体１１を循環濾過することができ、冷却装置９０内で冷却媒体１１の濾過を実施する、冷却媒体１１の流向は、図６における矢印によって示される。すなわち、分流システム１００の第４の動作モードは、冷却装置９０内で冷却媒体１１を濾過することとして解釈されてもよい。
【００５２】
実装態様では、分流システム１００は、第１のパイプライン３１、第２のパイプライン３２、第３のパイプライン３３、および第４のパイプライン３４の伝導または閉鎖を制御するコントローラ、ならびに冷却装置９０内の冷却媒体１１の容積を検出する測定メータを更に含み、測定メータは、コントローラに連絡可能に接続している。弁は、ソレノイド弁であってもよく、コントローラは、第１のパイプライン３１、第２のパイプライン３２、第３のパイプライン３３、および第４のパイプライン３４の伝導または閉鎖を実施するように、第１のパイプライン３１、第２のパイプライン３２、第３のパイプライン３３、および第４のパイプライン３４に対応する弁の開放または閉鎖を制御することができることを理解されよう。
【００５３】
冷却装置９０内の冷却媒体１１の容積が第１の容積未満であると測定メータが検出するとき、コントローラは、第１のパイプライン３１および第４のパイプライン３４が伝導するように、第１のパイプライン３１および第４のパイプライン３４に対応する弁を開放するよう制御し、第２のパイプライン３２および第３のパイプライン３３が閉鎖されるように、第２のパイプライン３２および第３のパイプライン３３に対応する弁を閉鎖するよう制御し、それによって、分流システム１００を第１の動作モードに切り替え、冷却装置９０内で冷却媒体１１の補充を実施する。
【００５４】
冷却装置９０内の冷却媒体１１の容積が第２の容積を上回ると測定メータが検出するとき、コントローラは、第２のパイプライン３２および第３のパイプライン３３が伝導するように、第２のパイプライン３２および第３のパイプライン３３に対応する弁を開放するよう制御し、第１のパイプライン３１および第４のパイプライン３４が閉鎖されるように、第１のパイプライン３１および第４のパイプライン３４に対応する弁を閉鎖するよう制御し、それによって、分流システム１００を第２の動作モードに切り替え、冷却装置９０内で冷却媒体１１の回復を実施する。第２の容積は、第１の容積よりも大きい。第１の容積は、冷却装置９０内の冷却媒体１１に対して許容された最小容積として解釈されてもよい。第２の容積は、冷却装置９０内の冷却媒体１１に対して許容された最大容積として解釈されてもよい。
【００５５】
実装態様では、分流システム１００は、貯蔵タンク１０内の冷却媒体１１の純度を検出する第１の検出器を更に含み、第１の検出器は、コントローラに連絡可能に接続しており、貯蔵タンク１０内に取り付けられることが可能である。
【００５６】
貯蔵タンク１０内の冷却媒体１１の純度が予め設定された値未満であると第１の検出器が検出するとき、コントローラは、第２のパイプライン３２および第４のパイプライン３４が伝導するように、第２のパイプライン３２および第４のパイプライン３４に対応する弁を開放するよう制御し、第１のパイプライン３１および第３のパイプライン３３が閉鎖されるように、第１のパイプライン３１および第３のパイプライン３３に対応する弁を閉鎖するよう制御し、それによって、分流システム１００を第３の動作モードに切り替え、貯蔵タンク１０内で冷却媒体１１の濾過を実施する。
【００５７】
実装態様では、分流システム１００は、冷却装置９０内の冷却媒体１１の純度を検出する第２の検出器を更に含み、第２の検出器は、コントローラに連絡可能に接続しており、冷却装置９０内に取り付けられることが可能である。
【００５８】
冷却装置９０内の冷却媒体１１の純度が予め設定された値未満であると第２の検出器が検出するとき、コントローラは、第１のパイプライン３１および第３のパイプライン３３が伝導するように、第１のパイプライン３１および第３のパイプライン３３に対応する弁を開放するよう制御し、第２のパイプライン３２および第４のパイプライン３４が閉鎖されるように、第２のパイプライン３２および第４のパイプライン３４に対応する弁を閉鎖するよう制御し、それによって、分流システム１００を第４の動作モードに切り替え、冷却装置９０内で冷却媒体１１の濾過を実施する。
【００５９】
したがって、冷却装置９０に対する自動冷却媒体補充および回復の機能は、コントローラおよび測定メータを構成することによって実施されてもよい。貯蔵タンク１０および冷却装置９０に対する自動冷却媒体濾過の機能は、第１の検出器および第２の検出器を構成することによって実施されてもよい。
【００６０】
図７を参照されたい。実装態様では、第１のパイプライン３１および第２のパイプライン３２は、３方向コネクタ５０によって第１の共通パイプライン６１に接続されてもよく、第１のパイプライン３１および第２のパイプライン３２の両方は、第１の共通パイプライン６１によって揚水器具２０の出口２２に接続される。第３のパイプライン３３および第４のパイプライン３４は、３方向コネクタ５０によって第２の共通パイプライン６２に接続され、第３のパイプライン３３および第４のパイプライン３４の両方は、第２の共通パイプライン６２によって揚水器具２０の入口２１に接続される。３方向コネクタ５０の構成を通じて、第１の共通パイプライン６１は、第１のパイプライン３１および第２のパイプライン３２によって共有されてもよく、第２の共通パイプライン６２は、第３のパイプライン３３および第４のパイプライン３４によって共有されてもよい。このようにして、揚水器具２０は、１つの入口２１および１つの出口２２が設けられる必要があるだけであり、第１の共通パイプライン６１および第２の共通パイプライン６２の２つのパイプラインに接続される必要があるだけであり、それによって、デバイス構造を簡易化し、コストを減少させる。
【００６１】
図８を参照されたい。冷却装置９０内で冷却媒体１１を濾過する機能を考慮することなく、第１のパイプライン３１および第３のパイプライン３３は、３方向コネクタ５０によって第３の共通パイプライン６３に接続されてもよく、第１のパイプライン３１および第３のパイプライン３３の両方は、第３の共通パイプライン６３によって冷却装置９０に接続される。このようにして、冷却装置９０は、第３の共通パイプライン６３に接続するための１つの接続ポートが設けられる必要があるだけであり、それによって、穿孔コスト（perforation cost）を節約する。
【００６２】
更に、図９を参照して、貯蔵タンク１０内で冷却媒体１１を濾過する機能を考慮することなく、第３のパイプライン３３および第４のパイプライン３４は、３方向コネクタ５０によって第４の共通パイプライン６４に接続されてもよく、第３のパイプライン３３および第４のパイプライン３４の両方は、第４の共通パイプライン６４によって貯蔵タンク１０に接続される。このようにして、貯蔵タンク１０は、第４の共通パイプライン６４に接続するための１つの接続ポートが設けられる必要があるだけであり、それによって、穿孔コストを節約する。確かに、実際の必要性に従って、３方向コネクタおよび共通パイプラインの数および配列を適切に変更することができ、３方向コネクタおよび共通パイプラインの数および配列は、本出願において限定されない。
【００６３】
結論として、本発明の分流システム１００では、第１のパイプライン３１または第２のパイプライン３２のうちの１つは、伝導するように構成され、第３のパイプライン３３または第４のパイプライン３４のうちの１つは、伝導するように構成され、それによって、冷却媒体１１が循環するための異なる流向における複数の循環経路を形成し、そのケースでは、冷却装置９０に対する冷却媒体の補充、冷却装置９０に対する冷却媒体の回復、冷却装置９０内での冷却媒体１１の濾過、および貯蔵タンク１０内での冷却媒体１１の濾過などの様々な機能を達成するために１つの揚水器具２０が必要とされるだけであり、冷却装置９０の維持コストを著しく減少させ、維持効率性を改善する。
【００６４】
図９および１０を参照されたい。本発明の実施形態は、貯蔵タンク１０'および揚水器具２０'を含む冷却装置に適用可能な分流システムを更に提供し、貯蔵タンク１０'は、冷却媒体１１'を貯蔵するために使用され、揚水器具２０'は、入口２１'および出口２２'を含む。第１のパイプライン３１'は、冷却装置９０'と揚水器具２０'の出口２２'との間に接続され、第２のパイプライン３２'は、貯蔵タンク１０'と揚水器具２０'の出口２２'との間に接続され、第３のパイプライン３３'は、冷却装置９０'と揚水器具２０'の入口２１'との間に接続され、第４のパイプライン３４'は、貯蔵タンク１０'と揚水器具２０'の入口２１'との間に接続され、第１のパイプライン３１'、第２のパイプライン３２'、第３のパイプライン３３'、および第４のパイプライン３４'は全て選択的に、伝導していてもよく、または閉鎖されていてもよい。分流システムが動作しているとき、第１のパイプライン３１'、第２のパイプライン３２'、第３のパイプライン３３'、および第４のパイプライン３４'のうちの少なくとも２つが伝導している。
【００６５】
図１０に示されるように、第１のパイプライン３１'、第２のパイプライン３２'、および第４のパイプライン３４'が伝導しているとき、揚水器具２０'は、冷却装置９０'に対する冷却媒体の補充を実施するように、第１のパイプライン３１'および第４のパイプライン３４'によって、貯蔵タンク１０'内の冷却媒体１１'を冷却装置９０'に運搬することができる。揚水器具２０'はまた、第２のパイプライン３２'および第４のパイプライン３４'によって、貯蔵タンク１０'内で冷却媒体１１'を循環することができ、貯蔵タンク１０'内の冷却媒体１１'をの貯蔵タンク１０'に再度運搬することができ、貯蔵タンク１０'内での冷却媒体１１'の濾過を実施するように、第２のパイプライン３２'および第４のパイプライン３４'のうちのいずれかの１つに濾過装置が配置されてもよい。
【００６６】
図１１に示されるように、第１のパイプライン３１'、第２のパイプライン３２'、および第３のパイプライン３３'が伝導しているとき、揚水器具２０'は、冷却装置９０'に対する冷却媒体の回復を実施するように、第２のパイプライン３２'および第３のパイプライン３３'によって、冷却装置９０'内の冷却媒体１１'を貯蔵タンク１０'に運搬することができる。揚水器具２０'はまた、第１のパイプライン３１'および第３のパイプライン３３'によって、冷却装置９０'内の冷却媒体１１'を冷却装置９０'に再度循環運搬することができ、冷却装置９０'内での冷却媒体１１'の濾過を実施するように、第１のパイプライン３１'および第３のパイプライン３３'のいずれかに濾過装置が配置されてもよい。
【００６７】
本発明の分流システムの実施形態では、第１のパイプライン３１'、第２のパイプライン３２'、第３のパイプライン３３'、および第４のパイプライン３４'は、冷却媒体１１'が循環するための異なる流向の複数の循環経路を形成することができ、そのケースでは、補充のために貯蔵タンク１０'内の冷却媒体１１'を冷却装置９０'に運搬すること、および回復のために冷却装置９０'内の冷却媒体１１'を貯蔵タンク１０'に運搬することの両方と共に、貯蔵タンク１０'および冷却装置９０'内で冷却媒体１１'を濾過することを達成するために１つの揚水器具２０'が必要とされるだけであり、その結果、分流システムは、様々な機能を有し、維持コストを著しく減少させ、維持効率性を改善する。
【００６８】
本発明の実施形態は、冷却システムを更に提供し、冷却システムは、第１の貯蔵タンク、第２の貯蔵タンク、および揚水器具を含み、第１の貯蔵タンクおよび第２の貯蔵タンクは、冷却媒体を貯蔵するために使用され、第１の貯蔵タンクは、揚水器具によって第２の貯蔵タンクと連絡しており、冷却システムは、第１のモードおよび第２のモードにおいて動作するように構成される。冷却システムが第１のモードにあるとき、第１の貯蔵タンク内の冷却媒体は、揚水器具によって第２の貯蔵タンクに導入される。冷却システムが第２のモードにあるとき、第２の貯蔵タンク内の冷却媒体は、揚水器具によって第１の貯蔵タンクに導入される。第１のモードおよび第２のモードでは、揚水器具を通じて流れる冷却媒体の方向は同一である。
【００６９】
このようにして、追加の揚水器具を必要とすることなく、２つの貯蔵タンクの間の冷却媒体の循環を実施するために１つの揚水器具が必要とされるだけであり、それによって、装置コストを著しく減少させる。第１の貯蔵タンク、第２の貯蔵タンク、および揚水器具の間の接続方式は、上記実施形態および実装態様において説明された分流システムの貯蔵タンク、冷却装置、および揚水器具の間の接続方式と同一であってもよいことに留意されるべきである。
【００７０】
本発明の他の実施形態は、本明細書において開示された発明を考慮し、本明細書で実施した後に当業者によって容易に想定可能である。本出願は、本発明のいずれかの変形、使用、または適合を網羅することを意図しており、変形、使用、または適合は、本発明の一般的原理によって当時され、本出願に開示されていない一般的に知られた知識または従来の技術的意味を含む。明細書および実施形態は、例示のみとして考えられ、本発明の実際の範囲および精神は、添付の特許請求の範囲によって示される。
【００７１】
用語「を含む（include）」、「を備える（comprise）」、またはそれらのいずれかの他の変形は、一連の要素を含む処理、方法、商品、または装置が、それらの要素だけでなく明確に表示されていない他の要素、またはそのような処理、方法、商品、もしくは装置に特有の要素をも含むように、非排他的包含を含むことを意図している。「１つの〜を含む（including one…）」と述べることによって定義された要素は、更なる限定なしに、処理、方法、商品、または装置における追加の同一の要素の存在を排除しない。
【００７２】
上記説明は、本発明の好ましい実施形態であるにすぎず、本発明を限定することを意図していない。本発明の精神および原理内で行われるいずれかの修正、同等の置き換え、および改善などは、本請求項の保護の範囲内に含まれるべきである。
【図１】
2021513157.tif 000003
【図２】
2021513157.tif 000004
【図３】
2021513157.tif 000005
【図４】
2021513157.tif 000006
【図５】
2021513157.tif 000007
【図６】
2021513157.tif 000008
【図７】
2021513157.tif 000009
【図８】
2021513157.tif 000010
【図９】
2021513157.tif 000011
【図１０】
2021513157.tif 000012
【図１１】
2021513157.tif 000013
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
貯蔵タンクおよび揚水器具を備えた分流システムであって、前記貯蔵タンクは、冷却媒体を貯蔵するために使用され、前記揚水器具は、入口および出口を含み、
冷却装置と前記揚水器具の前記出口との間に第１のパイプラインが結合され、前記貯蔵タンクと前記揚水器具の前記出口との間に第２のパイプラインが結合され、前記冷却装置と前記揚水器具の前記入口との間に第３のパイプラインが結合され、前記貯蔵タンクと前記揚水器具の前記入口との間に第４のパイプラインが結合され、前記第１のパイプライン、前記第２のパイプライン、前記第３のパイプライン、および前記第４のパイプラインは選択的に、伝導し、または閉鎖されるように構成され、
前記分流システムが動作しているとき、前記第１のパイプラインまたは前記第２のパイプラインのうちの１つが伝導しており、前記第３のパイプラインまたは前記第４のパイプラインのうちの１つが伝導しており、
前記揚水器具は、伝導している前記第３のパイプラインまたは前記第４のパイプラインのうちの１つによって前記冷却媒体を抽出し、伝導している前記第１のパイプラインまたは前記第２のパイプラインのうちの１つによって前記冷却媒体を外部に運搬する、
ことを特徴とする分流システム。
【請求項２】
前記分流システムは、第１の動作モードおよび第２の動作モードへと構成され、
前記分流システムが前記第１の動作モードにあるとき、前記第１のパイプラインおよび前記第４のパイプラインが伝導しており、前記第２のパイプラインおよび前記第３のパイプラインが閉鎖されており、前記揚水器具は、前記第４のパイプラインによって前記貯蔵タンクから冷却媒体を抽出し、前記第１のパイプラインによって前記冷却媒体を前記冷却装置に運搬し、
前記分流システムが前記第２の動作モードにあるとき、前記第２のパイプラインおよび前記第３のパイプラインが伝導しており、前記第１のパイプラインおよび前記第４のパイプラインが閉鎖されており、前記揚水器具は、前記第３のパイプラインによって前記冷却装置から前記冷却媒体を抽出し、前記第２のパイプラインによって前記冷却媒体を前記貯蔵タンクに運搬する、
ことを特徴とする請求項１に記載の分流システム。
【請求項３】
前記第１のパイプライン、前記第２のパイプライン、前記第３のパイプライン、および前記第４のパイプラインの伝導または閉鎖を制御するコントローラ、ならびに前記冷却装置内の前記冷却媒体の容積を検出する測定メータを更に備え、前記測定メータは、前記コントローラに連絡可能に接続しており、
前記冷却装置内の前記冷却媒体の前記容積が第１の容積未満であると前記測定メータが検出するとき、前記コントローラは、前記分流システムを前記第１の動作モードに切り替えるように、前記第１のパイプラインおよび前記第４のパイプラインが伝導するよう制御し、前記第２のパイプラインおよび前記第３のパイプラインが閉鎖されるよう制御し、
前記冷却装置内の前記冷却媒体の前記容積が第２の容積を上回ると前記測定メータが検出するとき、前記コントローラは、前記分流システムを前記第２の動作モードに切り替えるように、前記第２のパイプラインおよび前記第３のパイプラインが伝導するよう制御し、前記第１のパイプラインおよび前記第４のパイプラインが閉鎖されるよう制御し、前記第２の容積は、前記第１の容積よりも大きい、
ことを特徴とする請求項２に記載の分流システム。
【請求項４】
前記第２のパイプラインまたは前記第４のパイプラインと連絡している第１の濾過器を更に備え、
前記分流システムは、第３の動作モードを含み、前記分流システムが前記第３の動作モードにあるとき、前記第２のパイプラインおよび前記第４のパイプラインが伝導しており、前記第１のパイプラインおよび前記第３のパイプラインが閉鎖されており、前記揚水器具は、前記第４のパイプラインによって前記貯蔵タンクから前記冷却媒体を抽出し、前記第２のパイプラインによって前記冷却媒体を前記貯蔵タンクに再度運搬し、前記第１の濾過器は、それを通じて流れる前記冷却媒体を濾過する、
ことを特徴とする請求項１に記載の分流システム。
【請求項５】
前記第１の濾過器は、前記貯蔵タンクに配置される、ことを特徴とする請求項４に記載の分流システム。
【請求項６】
前記第１のパイプライン、前記第２のパイプライン、前記第３のパイプライン、および前記第４のパイプラインの伝導または閉鎖を制御するコントローラ、ならびに前記貯蔵タンク内の前記冷却媒体の純度を検出する第１の検出器を更に備え、前記第１の検出器は、前記コントローラに連絡可能に接続しており、
前記貯蔵タンク内の前記冷却媒体の前記純度が予め設定された値未満であると前記第１の検出器が検出するとき、前記コントローラは、前記分流システムを前記第３の動作モードに切り替えるように、前記第２のパイプラインおよび前記第４のパイプラインが伝導するよう制御し、前記第１のパイプラインおよび前記第３のパイプラインが閉鎖されるよう制御する、
ことを特徴とする請求項４に記載の分流システム。
【請求項７】
前記第１のパイプラインまたは前記第３のパイプラインと連絡して設けられた第２の濾過器を更に備え、
前記分流システムは、第４の動作モードを含み、前記分流システムが前記第４の動作モードにあるとき、前記第１のパイプラインおよび前記第３のパイプラインが伝導しており、前記第２のパイプラインおよび前記第４のパイプラインが閉鎖されており、前記揚水器具は、前記第３のパイプラインによって前記冷却装置から前記冷却媒体を抽出し、前記第１のパイプラインによって前記冷却媒体を前記冷却装置に運搬し、前記第２の濾過器は、それを通じて流れる前記冷却媒体を濾過する、
ことを特徴とする請求項１に記載の分流システム。
【請求項８】
前記第１のパイプライン、前記第２のパイプライン、前記第３のパイプライン、および前記第４のパイプラインの伝導または閉鎖を制御するコントローラ、ならびに前記冷却装置内の前記冷却媒体の純度を検出する第２の検出器を更に備え、前記第２の検出器は、前記コントローラに連絡可能に接続しており、
前記冷却装置内の前記冷却媒体の前記純度が予め設定された値未満であると前記第２の検出器が検出するとき、前記コントローラは、前記分流システムを前記第４の動作モードに切り替えるように、前記第１のパイプラインおよび前記第３のパイプラインが伝導するよう制御し、前記第２のパイプラインおよび前記第４のパイプラインが閉鎖されるよう制御する、
ことを特徴とする請求項７に記載の分流システム。
【請求項９】
前記第１のパイプライン、前記第２のパイプライン、前記第３のパイプライン、および前記第４のパイプラインは、弁が設けられ、前記弁は、前記第１のパイプライン、前記第２のパイプライン、前記第３のパイプライン、および前記第４のパイプラインにおける対応するパイプラインが伝導しており、または閉鎖されるように、開放または閉鎖することができる、ことを特徴とする請求項１に記載の分流システム。
【請求項１０】
前記第１のパイプラインおよび前記第２のパイプラインは、３方向コネクタによって第１の共通パイプラインに接続され、前記第１のパイプラインおよび前記第２のパイプラインの両方は、前記第１の共通パイプラインによって前記揚水器具の前記出口に接続される、ことを特徴とする請求項１に記載の分流システム。
【請求項１１】
前記第３のパイプラインおよび前記第４のパイプラインは、３方向コネクタによって第２の共通パイプラインに接続され、前記第３のパイプラインおよび前記第４のパイプラインの両方は、前記第２の共通パイプラインによって前記揚水器具の前記入口に接続される、ことを特徴とする請求項１に記載の分流システム。
【請求項１２】
前記第１のパイプラインおよび前記第３のパイプラインは、３方向コネクタによって第３の共通パイプラインに接続され、前記第１のパイプラインおよび前記第３のパイプラインの両方は、前記第３の共通パイプラインによって前記冷却装置に接続される、ことを特徴とする請求項１に記載の分流システム。
【請求項１３】
冷却装置に適用可能な分流システムであって、前記システムは、貯蔵タンクおよび揚水器具を備え、前記貯蔵タンクは、冷却媒体を貯蔵し、前記揚水器具は、入口および出口を含み、
前記冷却装置と前記揚水器具の前記出口との間に第１のパイプラインが接続され、前記貯蔵タンクと前記揚水器具の前記出口との間に第２のパイプラインが接続され、前記冷却装置と前記揚水器具の前記入口との間に第３のパイプラインが接続され、前記貯蔵タンクと前記揚水器具の前記入口との間に第４のパイプラインが接続され、前記第１のパイプライン、前記第２のパイプライン、前記第３のパイプライン、および前記第４のパイプラインは選択的に、伝導しており、または閉鎖されており、
前記分流システムが動作しているとき、前記第１のパイプライン、前記第２のパイプライン、前記第３のパイプライン、および前記第４のパイプラインのうちの少なくとも２つが伝導している、
ことを特徴とする分流システム。
【請求項１４】
第１の貯蔵タンク、第２の貯蔵タンク、および揚水器具を備えた冷却システムであって、前記第１の貯蔵タンクおよび前記第２の貯蔵タンクは、冷却媒体を貯蔵し、前記第１の貯蔵タンクは、前記揚水器具によって前記第２の貯蔵タンクと連絡しており、前記冷却システムは、第１のモードおよび第２のモードにおいて動作するように構成され、
前記第１のモードでは、前記第１の貯蔵タンク内の前記冷却媒体は、前記揚水器具によって前記第２の貯蔵タンクに導入され、
前記第２のモードでは、前記第２の貯蔵タンク内の前記冷却媒体は、前記揚水器具によって前記第１の貯蔵タンクに導入され、
前記第１のモードおよび前記第２のモードでは、前記揚水器具を通じて流れる前記冷却媒体の方向は同一である、
ことを特徴とする冷却システム。
【請求項１５】
前記第１のモードでは、第１のパイプラインおよび第４のパイプラインが伝導しており、第２のパイプラインおよび第３のパイプラインが閉鎖されており、前記揚水器具は、前記第４のパイプラインによって前記貯蔵タンクから冷却媒体を抽出し、前記第１のパイプラインによって前記冷却媒体を冷却装置に運搬し、
前記第２のモードでは、前記第２のパイプラインおよび前記第３のパイプラインが伝導しており、前記第１のパイプラインおよび前記第４のパイプラインが閉鎖されており、前記揚水器具は、前記第３のパイプラインによって前記冷却装置から前記冷却媒体を抽出し、前記第２のパイプラインによって前記冷却媒体を前記貯蔵タンクに運搬する、
ことを特徴とする請求項１４に記載の冷却システム。
【請求項１６】
前記第１のパイプライン、前記第２のパイプライン、前記第３のパイプライン、および前記第４のパイプラインの伝導または閉鎖を制御するコントローラ、ならびに前記冷却装置内の前記冷却媒体の容積を検出する測定メータを更に備え、前記測定メータは、前記コントローラに連絡可能に接続しており、
前記冷却装置内の前記冷却媒体の前記容積が第１の容積未満であると前記測定メータが検出するとき、前記コントローラは、分流システムを前記第１のモードに切り替えるように、前記第１のパイプラインおよび前記第４のパイプラインが伝導するよう制御し、前記第２のパイプラインおよび前記第３のパイプラインが閉鎖されるよう制御し、
前記冷却装置内の前記冷却媒体の前記容積が第２の容積を上回ると前記測定メータが検出するとき、前記コントローラは、前記冷却システムを前記第２のモードに切り替えるように、前記第２のパイプラインおよび前記第３のパイプラインが伝導するよう制御し、前記第１のパイプラインおよび前記第４のパイプラインが閉鎖されるよう制御し、前記第２の容積は、前記第１の容積よりも大きい、
ことを特徴とする請求項１５に記載の冷却システム。
【請求項１７】
前記第２のパイプラインまたは前記第４のパイプラインと連絡している第１の濾過器を更に備え、
前記冷却システムは、第３のモードにおいて動作するように構成され、前記冷却システムが前記第３のモードにあるとき、前記第２のパイプラインおよび前記第４のパイプラインが伝導しており、前記第１のパイプラインおよび前記第３のパイプラインが閉鎖されており、前記揚水器具は、前記第４のパイプラインによって前記貯蔵タンクから前記冷却媒体を抽出し、前記第２のパイプラインによって前記冷却媒体を前記貯蔵タンクに再度運搬し、前記第１の濾過器は、それを通じて流れる前記冷却媒体を濾過する、
ことを特徴とする請求項１５に記載の冷却システム。
【請求項１８】
前記第１の濾過器は、前記貯蔵タンクに配置される、ことを特徴とする請求項１７に記載の冷却システム。
【請求項１９】
前記第１のパイプライン、前記第２のパイプライン、前記第３のパイプライン、および前記第４のパイプラインの伝導または閉鎖を制御するコントローラ、ならびに前記貯蔵タンク内の前記冷却媒体の純度を検出する第１の検出器を更に備え、前記第１の検出器は、前記コントローラに連絡可能に接続しており、
前記貯蔵タンク内の前記冷却媒体の前記純度が予め設定された値未満であると前記第１の検出器が検出するとき、前記コントローラは、前記冷却システムを前記第３のモードに切り替えるように、前記第２のパイプラインおよび前記第４のパイプラインが伝導するよう制御し、前記第１のパイプラインおよび前記第３のパイプラインが閉鎖されるよう制御する、
ことを特徴とする請求項１７に記載の冷却システム。
【請求項２０】
前記第１のパイプラインまたは前記第３のパイプラインと連絡している第２の濾過器を更に備え、
前記冷却システムは、第４のモードにおいて動作するように構成され、前記第４のモードにあるとき、前記第１のパイプラインおよび前記第３のパイプラインが伝導しており、前記第２のパイプラインおよび前記第４のパイプラインが閉鎖されており、前記揚水器具は、前記第３のパイプラインによって前記冷却装置から前記冷却媒体を抽出し、前記第１のパイプラインによって前記冷却媒体を前記冷却装置に運搬し、前記第２の濾過器は、それを通じて流れる前記冷却媒体を濾過する、
ことを特徴とする請求項１５に記載の冷却システム。
【国際調査報告】
2021513157.tif 000014
2021513157.tif 000015
2021513157.tif 000016
2021513157.tif 000017